(57)【要約】【目的】大きな引張強さを持ちながら必要に応じて容易に切断することのできる粘着ラベル、及びその粘着ラベルを用いた包装体の連結構造物を提供する。【構成】物品２を収納した物品収納部３と該物品収納部を囲む鍔状の封止部４とを有して成る包装体１Ａ，１Ｂ，１Ｃを部分的に重なり合うようにして並べ、その各包装体１Ａ〜１Ｂを粘着ラベル６，７により連結する。特に、表面側に貼られる粘着ラベル６は、複数条の短尺切込線１１を一方向に配列して成る破断部８を備え、その破断部８が隣り合う包装体１Ａ，１Ｂ及び１Ｂ，１Ｃの境界線上に位置付けられる。又、その各短尺切込線１１は夫れ夫れ平行し、且つその配列方向に対して傾斜する。【選択図】  図１
2004240353.tif 000002
【特許請求の範囲】
【請求項１】
複数条の短尺切込線が一方向に配列されて成る破断部を備えた粘着ラベルにおいて、前記短尺切込線が夫れ夫れその配列方向に対して非平行であることを特徴とする粘着ラベル。
【請求項２】
複数条の短尺切込線が一方向に配列されて成る破断部を備えた粘着ラベルにおいて、前記短尺切込線が夫れ夫れ平行し、且つその配列方向に対して傾斜していることを特徴とする粘着ラベル。
【請求項３】
複数条の平行な短尺切込線が一方向に配列されて成る第１切込列と、この第１切込列に沿って他の複数条の平行な短尺切込線が一方向に配列されて成る第２切込列とで構成される破断部を備えた粘着ラベルであって、前記第１切込列を成す各短尺切込線と前記第２切込列を成す各短尺切込線が、夫れ夫れその配列方向に対して交互に逆向きに傾斜していることを特徴とする粘着ラベル。
【請求項４】
物品を収納した物品収納部と該物品収納部を囲む鍔状の封止部とを有して成る複数個の包装体を部分的に重なり合うようにして並べ、その各包装体をその表裏両側に貼られる結合手段により連結した包装体の連結構造物において、表裏両側における結合手段の少なくとも一方が請求項１、２、又は３に記載した粘着ラベルで成り、その粘着ラベルは隣り合う包装体の物品収納部と封止部とに粘着して、破断部が隣り合う包装体の境界線上、又は隣り合う包装体における下部側の物品収納部上に位置することを特徴とする粘着ラベルを用いた包装体の連結構造物。
【発明の詳細な説明】
【０００１】
【発明の属する技術分野】
本発明は、大きな引張強さを持ちながら所定の位置で容易に切断することのできる粘着ラベルと、これを用いた包装体の連結構造物に関する。
【０００２】
【従来の技術】
従来、商品の低価格販売を目的として、同種の物品を複数個纏めて販売することが一般に広く行われている。その一例として、数枚のスライスハムをプラスチックフィルムから成る包装材料で包装して個別販売が可能な包装体とし、その複数個を部分的に重なり合う状態に並べ、それらを販売価格などを記した粘着ラベルにより連結したものがある。
【０００３】
そして、これを購入した消費者は、粘着ラベルを引き剥がして各包装体を分離した後、各包装体の中から物品を個別に取り出すことができる。しかし、その種の連結構造物によれば、隣り合う包装体の物品収納部とその周囲の封止部とに粘着ラベルが強力に貼り付けられるため、各包装体が販売前に不用意に分離するのを防止できるものの、これを購入した消費者にとって各包装体を分離すべく粘着ラベルを引き剥がすことは至難であった。
【０００４】
そこで、消費者が各包装体を容易に分離できるよう、テープ片又はラベル（粘着ラベル）を各包装体の物品収納部のみに粘着せしめ、各包装体の周辺部（封止部）の位置で粘着ラベルにミシン目、Ｖ字カット、又はＩ字カットを形成することが提案されている（例えば、特許文献１）。
【０００５】
又、接着テープ（粘着ラベル）に接着領域と非接着領域を設け、非接着領域にミシン目、Ｖ字カット、又はＩ字カットを形成し、これを包装体の相互間で周辺部（封止部）の縁部に位置付けるという提案もある（例えば、特許文献２）。
【０００６】
【特許文献１】特許第２９４７３４９号公報
【特許文献２】
特開２００２−１９８２６号公報
【０００７】
【発明が解決しようとする課題】
然し乍ら、特許文献１、２に開示されるような従来方式によれば、粘着ラベルの一部が各包装体の部位に粘着されるだけなので各包装体の結束力が弱く、しかも粘着ラベルには包装体と非接着とされる部分でミシン目、Ｖ字カット、又はＩ字カットが形成されるので、その部分で粘着ラベルが不用意に破断してしまう虞れがある。
【０００８】
特に、ミシン目は図１０のように短尺な切込線Ｌが等間隔で一直線状に配列される形態であるので、包装体の輸送や陳列に際して粘着ラベルに図示矢印方向への引張力が作用すると、切込線Ｌ，Ｌの間に残された僅かな接続部に引張応力が集中してミシン目が破断してしまう。
【０００９】
尚、そのような不都合を解消するために、切込線の間隔を大きくしたり、Ｖ字カット、又はＩ字カットのみを形成した場合には、当該部分に大きな作用力を及ぼしても粘着ラベルが破断せずして刃物の使用を余儀なくされることがある。
【００１０】
本発明は以上のような事情に鑑みて成されたものであり、その目的は大きな引張強さを持ちながら必要に応じて容易に切断することのできる粘着ラベルの提供と、これを用いた包装体の連結構造物にして、各包装体の分離作業を容易に行えるようにすることにある。
【００１１】
【課題を解決するための手段】
本発明は上記目的を達成するため、複数条の短尺切込線が一方向に配列されて成る破断部を備えた粘着ラベルにおいて、前記短尺切込線が夫れ夫れその配列方向に対して非平行であることを特徴とする。
【００１２】
又、前記短尺切込線が夫れ夫れ平行し、且つその配列方向に対して傾斜していることを特徴とする。
【００１３】
更に、複数条の平行な短尺切込線が一方向に配列されて成る第１切込列と、この第１切込列に沿って他の複数条の平行な短尺切込線が一方向に配列されて成る第２切込列とで構成される破断部を備えた粘着ラベルであって、前記第１切込列を成す各短尺切込線と前記第２切込列を成す各短尺切込線が、夫れ夫れその配列方向に対して交互に逆向きに傾斜していることを特徴とする。
【００１４】
一方、物品を収納した物品収納部と該物品収納部を囲む鍔状の封止部とを有して成る複数個の包装体を部分的に重なり合うようにして並べ、その各包装体をその表裏両側に貼られる結合手段により連結した包装体の連結構造物において、表裏両側における結合手段の少なくとも一方が上記した粘着ラベルで成り、その粘着ラベルは隣り合う包装体の物品収納部と封止部とに粘着して、破断部が隣り合う包装体の境界線上、又は隣り合う包装体における下部側の物品収納部上に位置することを特徴とする。
【００１５】
【発明の実施の形態】
以下、本発明の適用例を図面に基づいて詳しく説明する。図１は包装体の連結構造物を示す平面図、図２は同底面図である。これらの図において、１Ａ，１Ｂ，１Ｃは包装体であり、この各包装体１Ａ〜１Ｃは、ポリエチレンやポリプロピレンといった熱可塑性を有する二枚のプラスチックフィルムで物品２を挟み、その周囲をヒートシールして構成される。
【００１６】
本例において、物品２は数枚のスライスハムであり、これを収納した物品収納部３は円形状を成して物品２の厚さ分だけ表面側が隆起される。一方、４は物品収納部を残して上下二枚のプラスチックフィルムをヒートシールして成る封止部であり、この封止部４は四角い鍔状にして物品収納部３を囲み、物品収納部３の気密性を保持する働きをする。尚、封止部４の一角は非溶着の開封部５とされ、この開封部５から上下のプラスチックフィルムを剥離して物品収納部３内の物品２を取り出し得るようになっている。
【００１７】
そして、以上のように構成される各包装体１Ａ〜１Ｃは、部分的に重なり合うようにして横列状に並べられ、それらの表裏両側に結合手段として粘着ラベル６，７が貼られて一体の連結構造物とされる。粘着ラベル６，７は、紙や樹脂フィルムで成る帯状の薄片をベース６Ａ，７Ａとし、その裏側を粘着面としたものであり、このうち表側の粘着ラベル６には商品の宣伝や販売価格などが記され、裏側の粘着ラベル７には物品の原材料名や製造元などが記される。
【００１８】
又、粘着ラベル６，７は、隣り合う包装体１Ａ，１Ｂ及び１Ｂ，１Ｃの物品収納部３と封止部４とに粘着され、それらの両端は夫れ夫れ両端部に位置する包装体１Ａ，１Ｃの物品収納部４に粘着される。特に、本例において、表側の粘着ラベル６は、その幅方向に沿って延びる破断部８を備え、その破断部８が隣り合う包装体１Ａ，１Ｂ及び１Ｂ，１Ｃの境界線上に位置付けられている。又、粘着ラベルのベース６Ａの一端縁には、破断部８の一端に臨むノッチ９、並びにそのノッチに隣接する突片１０が形成される。突片１０は裏面が非粘着面とされ、必要に応じて包装体１Ｂ，１Ｃの表面から容易に離間させ得るようになっているが、この突片１０及びノッチ９は省略してもよい。
【００１９】
図３は、係る粘着ラベル６を部分的に破断して示した平面図である。この図で明らかなように、破断部８は複数条（本例において７つ）の短尺切込線１１を所定の間隔で一方向に配列して成り、その各短尺切込線１１がその配列方向、すなわち破断部８の長さ方向（図３の矢印方向）に対して非平行とされる。特に、本例において、各短尺切込線１１が夫れ夫れ平行し、且つその配列方向に対して３０〜６０度傾斜するようにしてある。
【００２０】
これによれば、従来のようなミシン目（破線）に比べ、各短尺切込線１１の間における接続領域を大きくできるので、粘着ラベル６の長さ方向（包装体１Ａ〜１Ｃの連結方向）に引張力が作用したときに各短尺切込線１１の間が不用意に破断せず、それでいてノッチ９の両側に所定方向から逆向きの作用力を及ぼすことにより該粘着ラベル６を破断部８に沿って容易に切断することができる。これには、突片１０を摘んでこれを引っ張り上げるか、又は上部側の包装体１Ａから順にその封止部４を摘んで引っ張り上げるのであり、これにより粘着ラベル６には破断部８の一端から剪断力が作用し、以て各短尺切込線１１の間が互いの垂線方向に沿って順次破断する（図４参照）。尚、粘着ラベル６が破断した状態で、各包装体１Ａ〜１Ｃは未だ裏面側の粘着ラベル７により連結されているが、破断部８の位置で粘着ラベル６が破断さえすれば、後は包装体１Ａ，１Ｂをその封止部４を持って引っ張り上げ続けることにより、それらの裏面から粘着ラベル７を剥離せしめて各包装体１Ａ〜１Ｃを順次分離することができる。
【００２１】
以上、本発明の好適な一例を説明したが、粘着ラベル６は破断部８を隣り合う包装体１Ａ，１Ｂ及び１Ｂ，１Ｃの境界線上に位置付けて貼ることに限らず、図５のように破断部８を隣り合う包装体１Ａ，１Ｂ及び１Ｂ，１Ｃにおける上部側の封止部４に沿って下部側の物品収納部３上に位置させても良い。そして、この場合も上部側の包装体１Ａ又は１Ｂの封止部４を摘んで引っ張り上げるだけで粘着ラベル６を破断部８の位置で容易に切断することができる。
【００２２】
又、以上のような粘着ラベル６に代えて、図６〜図９のような粘着ラベル１６，２６，３６，４６としてもよい。図６に示す粘着ラベル１６は、ノッチを省略し、破断部８の一端における短尺切込線１１をベース１６Ａの一端縁より外方に開通させ、その近隣に突片１０を設けた例であり、他の構成は粘着ラベル６と同様とされる。そして、係る粘着ラベル１６も上記例の粘着ラベル６と同様の作用効果を奏する。但し、本例においても、突片１０は省略することができる。
【００２３】
図７に示す粘着ラベル２６は、各短尺切込線１１が一方向に所定の間隔で配列するもその全てが平行でなく、且つ各短尺切込線１１がその配列方向に対して非平行とされる例であり、他の構成は粘着ラベル６と同様とされる。そして、係る粘着ラベル２６も上記例の粘着ラベル６と同様の作用効果を奏する。但し、本例においても、突片１０及びノッチ９を省略し、破断部８の一端における短尺切込線１１を外方に開通させるようにしてもよい。
【００２４】
図８に示す粘着ラベル３６は、各短尺切込線１１が夫れ夫れ平行し、且つその配列方向に対して直交するようにした例であり、他の構成は粘着ラベル６と同様とされる。そして、係る粘着ラベル３６も上記例の粘着ラベル６と同様の作用効果を奏する。但し、本例においても、突片１０及びノッチ９は省略することができる。
【００２５】
次に、図９に示す粘着ラベルは、破断部８を第１切込列８Ａと第２切込列８Ｂで構成した例である。第１切込列８Ａは複数条の平行な短尺切込線１１Ａが一方向に所定の間隔で配列されて成り、第２切込列は第１切込列８Ａに沿って複数条の平行な短尺切込線１１Ｂが一方向に所定の間隔で配列されて成る。特に、第１切込列を成す各短尺切込線１１Ａと第２切込列を成す各短尺切込線１１Ｂは、夫れ夫れその配列方向に対して交互に逆向きに傾斜される。又、ベース４６Ａの一端縁には破断部８の一端に臨むノッチ９と、このノッチに隣接する突片１０が形成される。そして、係る粘着ラベル４６も上記例の粘着ラベル６と同様の作用効果を奏する。但し、本例においても、突片１０及びノッチ９を省略し、破断部８の一端における短尺切込線１１Ａ又は１１Ｂを外方に開通させるようにしてもよい。
【００２６】
ここで、以上のような粘着ラベル６，１６，２６，３６，４６を各包装体の裏面側、若しくは表裏両側に貼り付けるようにしてもよい。又、係る粘着ラベルは方形状に限らず、円形、長円形その他所定形状にしてもよく、更にその用途として包装体の連結ほか、封緘紙などとしての用途もある。
【００２７】
一方、係る包装体は真空パックとしてスライスハムなどの加工食品を包装したものに限らず、例えば台紙と透明なプラスチックパッケージとの間に玩具その他の物品を収納したものなどでもよい。又、包装体は上記例のような三連構造に限らず、二連又は四連以上の連結構造物としてもよい。
【００２８】
【発明の効果】
以上の説明で明らかなように、本発明によれば、複数条の短尺切込線が一方向に配列されて成る破断部を備えた粘着ラベルであって、短尺切込線が夫れ夫れその配列方向に対して非平行とされ、特に短尺切込線同士が夫れ夫れ平行し、且つその配列方向に対して傾斜していることから、従来のような同種の切込線が等間隔で一直線状に配列されるミシン目を備えたものに比べ、大きな引張強さを有して不用意に破断してしまうことがなく、しかも破断部の一端側でラベル面の直角方向に逆向きの作用力を及ぼしたときには、当該粘着ラベルを破断部に沿って容易に切断することができる。
【００２９】
又、複数条の平行な短尺切込線が一方向に配列されて成る第１切込列と、この第１切込列に沿って他の複数条の平行な短尺切込線が一方向に配列されて成る第２切込列とで構成される破断部を備えた粘着ラベルであって、第１切込列を成す各短尺切込線と第２切込列を成す各短尺切込線が、夫れ夫れその配列方向に対して交互に逆向きに傾斜していることから、この種の粘着ラベルも大きな引張強さを持ちながら必要に応じ破断部の位置で容易に切断することができる。
【００３０】
更に、上記のような粘着ラベルを用い、部分的に重なり合う複数個の包装体が連結され、当該粘着ラベルが隣り合う包装体の境界線上、又は物品収納部上に破断部を位置させて両包装体の物品収納部と封止部とに粘着されることから、係る包装体の連結構造物を輸送したり商品棚に陳列するに際し、粘着ラベルに引張力が作用してもこれが不用意に破断して各包装体がばらけてしまうことがなく、各包装体を分離するときには、各包装体の封止部を順次摘み上げるだけで粘着ラベルを破断部の位置で容易に切断することができる。
【図面の簡単な説明】
【図１】本発明に係る粘着ラベルによる包装体の連結構造物を示した平面図
【図２】同連結構造物の底面図
【図３】粘着ラベルを部分的に破断して示した平面図
【図４】同粘着ラベルが破断部の位置で破断した状態を示す部分拡大図
【図５】粘着ラベルによる包装体連結構造物の他の実施形態を示す平面図
【図６】粘着ラベルの変更例を示す平面図
【図７】粘着ラベルの変更例を示す平面図
【図８】粘着ラベルの変更例を示す平面図
【図９】粘着ラベルの変更例を示す平面図
【図１０】従来のミシン目を備えた粘着ラベルを示す部分平面図
【符号の説明】
１Ａ〜１Ｃ  包装体
２  物品
３  物品収納部
４  封止部
６，１６，２６，３６，４６  粘着ラベル
６Ａ，１６Ａ，２６Ａ，３６Ａ，４６Ａ  ベース
７  粘着ラベル
８  破断部
８Ａ  第１切込列
８Ｂ  第２切込列
９  ノッチ
１０  突片
１１，１１Ａ，１１Ｂ  短尺切込線
【図１】
2004240353.tif 000003
【図２】
2004240353.tif 000004
【図３】
2004240353.tif 000005
【図４】
2004240353.tif 000006
【図５】
2004240353.tif 000007
【図６】
2004240353.tif 000008
【図７】
2004240353.tif 000009
【図８】
2004240353.tif 000010
【図９】
2004240353.tif 000011
【図１０】
2004240353.tif 000012